(57)【特許請求の範囲】
【請求項１】
セクタ対応に複数のアンテナを有し、複数セクタにまたがって移動端末と通信を行うソフトハンドオーバ時にサイト選択ダイバーシティ制御を行うようにしたＣＤＭＡ（符号分割多元接続）通信方式における基地局であって、
前記複数のアンテナに対応して送信可否を示す送信制御信号を送信データに付加する送信制御信号生成手段と、
この送信制御信号に応じて前記アンテナへの前記送信データのオンオフ制御をなす送信制御手段とを含み、
前記送信制御信号生成手段は、前記送信データの各シンボルに対応して前記制御信号をそれぞれ生成する手段と、前記シンボルと当該シンボルに対応する前記制御信号とを時分割多重して出力する手段とを有することを特徴とする基地局。
【請求項２】
前記送信制御信号生成手段は、前記アンテナの各々からの送信パイロット信号の、前記移動端末における受信品質に応じて前記送信制御信号を生成する手段を有することを特徴とする請求項１記載の基地局。
【請求項３】
前記制御信号は、アンテナのうち前記受信品質が最良のアンテナのみが送信可を示し、他のアンテナは送信不可を示すものであることを特徴とする請求項２記載の基地局。
【請求項４】
前記複数のアンテナに対応して前記送信データの拡散処理をなす拡散処理手段を更に含み、
前記送信制御手段は、前記送信データと前記送信制御信号とを分離する手段と、この分離された前記アンテナ対応の送信制御信号に応じて対応する前記拡散処理手段の出力制御をなす手段とを有することを特徴とする請求項１〜３いずれか記載の基地局。
【請求項５】
前記送信データの拡散処理をなす複数の拡散処理手段と、前記拡散処理手段の出力先である前記アンテナの選択を自在とする出力先選択手段とを更に含み、
前記送信制御手段は、前記送信データと前記送信制御信号とを分離する手段と、この分離された前記アンテナ対応の送信制御信号に応じて、前記出力先選択手段により選択されている出力先に対応する前記拡散処理手段の出力制御をなす手段とを有することを特徴とする請求項１〜３いずれか記載の基地局。
【請求項６】
セクタ対応に複数のアンテナを有する基地局と、前記基地局と通信を行う移動端末と、前記移動端末が複数セクタにまたがって通信を行うソフトハンドオーバ時にサイト選択ダイバーシティ制御を行うようにしたＣＤＭＡ（符号分割多元接続）通信システムであって、
前記基地局は、
前記複数のアンテナに対応して送信可否を示す送信制御信号を送信データに付加する送信制御信号生成手段と、
この送信制御信号に応じて前記アンテナへの前記送信データのオンオフ制御をなす送信制御手段とを含み、
前記送信制御信号生成手段は、前記送信データの各シンボルに対応して前記制御信号をそれぞれ生成する手段と、前記シンボルと当該シンボルに対応する前記制御信号とを時分割多重して出力する手段とを有することを特徴とする移動通信システム。
【請求項７】
前記移動端末は、前記アンテナの各々からの送信パイロット信号の受信品質を測定して前記基地局へ送信する手段を有し、
前記基地局の前記送信制御信号生成手段は、前記受信品質に応じて前記送信制御信号を生成する手段を有することを特徴とする請求項６記載の移動通信システム。
【請求項８】
前記制御信号は、アンテナのうち前記受信品質が最良のアンテナのみが送信可を示し、他のアンテナは送信不可を示すものであることを特徴とする請求項７記載の移動通信システム。
【請求項９】
前記基地局は、前記複数のアンテナに対応して前記送信データの拡散処理をなす拡散処理手段を更に含み、
前記送信制御手段は、前記送信データと前記送信制御信号とを分離する手段と、この分離された前記アンテナ対応の送信制御信号に応じて対応する前記拡散処理手段の出力制御をなす手段とを有することを特徴とする請求項６〜８いずれか記載の移動通信システム。
【請求項１０】
前記基地局は、前記送信データの拡散処理をなす複数の拡散処理手段と、前記拡散処理手段の出力先である前記アンテナの選択を自在とする出力先選択手段とを更に含み、
前記送信制御手段は、前記送信データと前記送信制御信号とを分離する手段と、この分離された前記アンテナ対応の送信制御信号に応じて、前記出力先選択手段により選択されている出力先に対応する前記拡散処理手段の出力制御をなす手段とを有することを特徴とする請求項６〜８いずれか記載の移動通信システム。
【発明の詳細な説明】
【０００１】
【発明の属する技術分野】
本発明は基地局装置及びそれを用いた移動通信システムに関し、特にセクタ対応に複数のアンテナを有する基地局と移動端末とが複数セクタにまたがって通信を行うソフトハンドオーバ時に、サイト選択ダイバーシティ制御を行うようにしたＣＤＭＡ（符号分割多元接続）通信方式に関するものである。
【０００２】
【従来の技術】
ＣＤＭＡ無線伝送方式において、サービスエリアを複数のセルに分割し、セルの中心に基地局を配置するセルラー方式では、一つのセルをセクタと呼ばれる領域に分割してアンテナを配置し送信を行う。ここで、呼が複数のセクタにまたがって基地局と同時に通信を行う、いわゆるソフトハンドオーバー（厳密には、ソフターハンドオーバと称して、複数のセルにまたがって同時通信を行うソフトハンドオーバと区別されるが、本明細書では特に厳密に区別しないものとする）においては、同じシンボルデータを、複数のセクタに対して、同時に、異なる拡散コードで拡散して出力する必要が生じる。しかしながら、複数のセルあるいはセクタに送信することにより干渉量が増加し、結果セクタ当りの収容ユーザ数の低下につながる。
【０００３】
そこで、ソフトハンドオーバー時に、サイト選択ダイバーシチ電力制御（ＳＳＤＴ:Site Selection Diversity Transmit Power Control）を行うことで、複数のセルあるいはセクタに送信することにより生じる干渉量の増大を、１つのセルあるいは１セクタからのみ送信することで、抑圧することが可能であり、また、ネットワーク経由によるネットワークの負荷を増大させることなく高速にサイト選択が可能となる。よって、ＳＳＤＴでは、複数の送信するセルあるいはセクタの出力状態を変化させるため、各々の拡散器の送信状態を出力状態、あるいは停止状態に切替える必要がある。
【０００４】
高速にサイト選択を行うために、ＳＳＤＴ処理では、スロットあるいはシンボル単位で送信状態を変化させることが必要であり、また、送信部における送信拡散処理部の各々に対してこれら動作を行うため、処理呼数の増加、ならびにハンドオーバー発生率の増加による処理遅延が懸念される。
【０００５】
従来のＣＤＭＡ方式の通信基地局における送信拡散処理部の構成の一例として、送信先アンテナ数が３個の場合の構成を図９に示す。図９を参照すると、符号化処理部１と、拡散部２と、無線送信処理部３ａ〜３ｃと、アンテナ４ａ〜４ｃとにより構成されている。拡散部２は、データ分離部２０１と、ＣＰＵ２０２と、拡散処理部２０３ａ〜２０３ｃと、加算合成回路２０８ａ〜２０８ｃとにより構成さる。
【０００６】
拡散処理部２０３ａはユーザ対応に同一構成の複数の拡散処理部を有しており、各拡散処理部は拡散処理回路２０５ａからなっている。また、拡散処理部２０３ｂも同様に、ユーザ対応に同一構成の複数の拡散処理部を有しており、各拡散処理部は拡散処理回路２０５ｂからなっている。更に、拡散処理部２０３ｃも同様に、ユーザ対応に同一構成の複数の拡散処理部を有しており、各拡散処理部は拡散処理回路２０５ｃからなる。
【０００７】
符号化処理部１は送信ベースバンド信号を生成し、拡散部２へ送出する。拡散部２では、データ分離部２０１によりデータ分離を行い、拡散処理部２０３ａ〜２０３ｃへ送信ベースバンド信号を入力する。拡散処理回路２０５ａでは、ＣＰＵ２０２より設定される送信先アンテナ４ａ用の拡散符号により拡散処理を行い、加算合成回路２０８ａへ送信拡散信号を出力する。加算合成回路２０８ａでは、ユーザ毎の複数個の拡散処理部２０３ａからの各送信拡散信号を加算合成して、対応する無線送信処理部３ａへ供給する。
【０００８】
拡散処理回路２０５ｂでは、ＣＰＵ２０２より設定される送信先アンテナ４ｂ用の拡散符号により拡散処理を行い、加算合成回路２０８ｂへ送信拡散信号を出力する。加算合成回路２０８ｂでは、ユーザ毎の複数個の拡散処理部２０３ｂからの各送信拡散信号を加算合成して、対応する無線送信処理部３ｂへ供給する。同様に、拡散処理回路２０５ｃでは、ＣＰＵ２０２より設定される送信先アンテナ４ｃ用の拡散符号を使用して拡散処理を行い、加算合成回路２０８ｃへ送信拡散信号を出力する。加算合成回路２０８ｃでは、ユーザ毎の複数個の拡散処理部２０３ｃからの各送信拡散信号を加算合成して、対応する無線送信処理部３ｃへ供給する。
【０００９】
無線送信処理部３ａ〜３ｃでは、入力された送信拡散信号信号の直交変調を行い、無線周波数変換、送信電力制御を行い、無線送信信号をアンテナ４ａ〜４ｃにそれぞれ送信する。アンテナ４ａ〜４ｃでは、入力された無線送信信号を放射送出する。
【００１０】
ここで、拡散処理部２０３ａ〜２０３ｃの出力状態制御は、ＣＰＵ２０２により、拡散処理回路２０５ａ〜２０５ｃにおける拡散符号などの拡散処理パラメータの設定または未設定を、ソフトウェア処理により行うようになっている。指定されたタイミングで送信出力制御を行うために、ソフトウェア処理ではカウンタを設け、指定されたカウンタ値により拡散処理回路２０５ａ〜２０５ｃの制御を行う。
【００１１】
【発明が解決しようとする課題】
しかしながら、図９に示した構成では、呼の増加ならびにハンドオーバー発生率の増加による拡散処理部の使用数が増加すると、ソフトウェア処理の増加による処理遅延が発生し、切替えが瞬時に行えない場合が発生するという問題がある。
【００１２】
そこで、本発明は上述した問題点を改善するためになされたものであって、その目的とするところは、ソフトウェア処理での負荷増大による能力低下を回避し、瞬時に送信制御を行い高速にサイト選択可能とした基地局及びそれを用いたＣＤＭＡ通信システムを提供することにある。
【００１３】
【課題を解決するための手段】
本発明による基地局は、セクタ対応に複数のアンテナを有し、複数セクタにまたがって移動端末と通信を行うソフトハンドオーバ時にサイト選択ダイバーシティ制御を行うようにしたＣＤＭＡ（符号分割多元接続）通信方式における基地局であって、前記複数のアンテナに対応して送信可否を示す送信制御信号を送信データに付加する送信制御信号生成手段と、この送信制御信号に応じて前記アンテナへの前記送信データのオンオフ制御をなす送信制御手段とを含み、前記送信制御信号生成手段は、前記送信データの各シンボルに対応して前記制御信号をそれぞれ生成する手段と、前記シンボルと当該シンボルに対応する前記制御信号とを時分割多重して出力する手段とを有することを特徴とする。
【００１４】
また、前記送信制御信号生成手段は、前記アンテナの各々からの送信パイロット信号の、前記移動端末における受信品質に応じて前記送信制御信号を生成する手段を有することを特徴とし、前記制御信号は、アンテナのうち前記受信品質が最良のアンテナのみが送信可を示し、他のアンテナは送信不可を示すものであることを特徴とする。
【００１５】
更に、前記複数のアンテナに対応して前記送信データの拡散処理をなす拡散処理手段を含み、前記送信制御手段は、前記送信データと前記送信制御信号とを分離する手段と、この分離された前記アンテナ対応の送信制御信号に応じて対応する前記拡散処理手段の出力制御をなす手段とを有することを特徴とする。
【００１６】
更に、前記送信データの拡散処理をなす複数の拡散処理手段と、前記拡散処理手段の出力先である前記アンテナの選択を自在とする出力先選択手段とを含み、前記送信制御手段は、前記送信データと前記送信制御信号とを分離する手段と、この分離された前記アンテナ対応の送信制御信号に応じて、前記出力先選択手段により選択されている出力先に対応する前記拡散処理手段の出力制御をなす手段とを有することを特徴とする。
【００１７】
また、本発明によるＣＤＭＡ移動通信システムは、前記基地局を含むことを特徴とする。
【００１８】
本発明の作用を述べる。無線伝送にスペクトラム拡散技術を用いた符号分割多元接続（ＣＤＭＡ）方式において、ソフトハンドオーバー時に複数のセルあるいはアンテナに送信することにより生ずる干渉量の低減を目的としたサイト選択ダイバーシチ電力制御（ＳＳＤＴ）を行うために、符号化処理部において、複数のアンテナに対応して送信可否を示す送信制御信号（ビット）を送信データに付加して拡散処理部へ送出し、拡散処理部では、この送信制御信号に応じて送信先（アンテナ）の送信制御信号を選択して、得られた送信制御信号にしたがって対応するアンテナへの送出拡散処理後の信号のオンオフ制御をなすよう構成することで、瞬時に送信制御を行い高速にサイト選択可能となる。
【００１９】
【発明の実施の形態】
以下に図面を参照して本発明の実施の形態につき詳細に説明する。図１は本発明の一実施の形態の拡散部の構成を示す機能ブロック図であり、図９と同等部分は同一符号にて示す。図１を参照すると、データ分離回路２０１には、後述する時分割多重された送信ベースバンド信号と制御信号が入力される。データ分離回路２０１では、入力された時分割多重された送信ベースバンド信号と送信制御信号を分離し、拡散処理回路２０５ａならびに送信制御信号選択回路２０６ａに送信する。拡散処理回路２０５ａでは、ＣＰＵ２０２により指定される拡散符号を使用して送信拡散信号を生成する。
【００２０】
送信制御信号選択回路２０６ａでは、入力される送信先アンテナ毎に時分割多重された送信制御信号を、ＣＰＵ２０２より指定される送信先アンテナに対応した送信可否の送信制御信号を抽出して出力制御回路２０７ａへ送信する。出力制御回路２０７ａでは、入力される送信制御信号を基に拡散処理回路２０５ａより入力される送信拡散信号の出力状態を出力状態あるいは出力停止状態に制御する。
【００２１】
このように、送信先アンテナに対応して送信可否を示す制御信号を、送信データと共に時分割多重化して拡散部２へ供給し、これ等多重化データを分離して得られる制御信号を用いて送信拡散データの出力制御を行うようにしたので、拡散部２では、上述したように送信拡散信号の出力制御をソフトウェア処理により拡散処理回路２０５ａを制御する必要がないため、拡散処理回路２０５ａの使用数増加による処理遅延を考慮する必要がなく、また、送信制御信号を送信ベースバンド信号のシンボルデータ毎に多重して送信することで、シンボル毎の送信出力状態の制御がハードウェア的に瞬時に可能となる。
【００２２】
図２は本発明によるＣＤＭＡ基地局の送信拡散処理回路を含む送信部の一実施例を示しており、本例では、送信先がアンテナ３個となる場合の構成を示す。図２を参照して全体の構成を述べる。符号化処理部１と、拡散部２と、無線送信処理部３ａ〜３ｃと、アンテナ４ａ〜４ｃとにより構成されている。
【００２３】
符号化処理部１は図２に示すように構成されている。すなわち、符号化処理部１は送信ベースバンド信号生成回路１１と、送信制御信号生成回路１２と、時分割多重回路１３と、逆拡散部１４と、復調部１５と、送信制御信号抽出回路１６と、送信選択回路１７とからなる。図３はこの符号化処理部１の動作の詳細を示すタイミングチャートの例である。
【００２４】
ここで、ＳＳＤＴ方式においては、基地局の各アンテナ４ａ〜４ｃにより送信されたパイロット信号を、移動端末側で受信してアンテナ対応に復調し、最大電力で受信される（受信品質が最良の）パイロット信号に対応したアンテナを、ＳＳＤＴ時のサイト選択として決定するものである。そこで、移動端末からは、基地局への上り信号中に、受信品質が最良のアンテナを示す制御情報が含まれていることから、図３における逆拡散部１４でこれを受信して逆拡散処理し、復調部１５で復調して、送信制御信号抽出回路１６にてこの制御情報を抽出するようにしている。
【００２５】
この抽出された制御情報は送信選択回路１７へ入力され、各アンテナ４ａ〜４ｃでの送信可否の判定が当該抽出制御情報により行われて、各アンテナに対応する送信選択信号が生成され、送信制御信号生成回路１２へ送出される。送信ベースバンド信号生成回路１１では、図４の最上行に示すように、送信するベースバンド信号が生成されると同時に、各シンボルデータに対して送信制御付加ビットが生成される。なお、この送信制御付加ビットに時間的に対応する図４の「制御シンボル」は、各「個別シンボル」にそれぞれ対応する制御信号（パイロット信号など）を示す情報である。また、送信制御付加ビットについては、送信シンボルでの制御シンボルデータはバイナリ１、個別シンボルデータはバイナリ０である。
【００２６】
こうして生成された送信制御付加ビットは送信制御信号生成回路１２へ供給され、送信選択回路１７より入力された各アンテナ毎の選択信号との論理和（オア）演算が行われ、アンテナ毎の送信制御信号が生成される。なお、図４において、アンテナ毎の選択信号や送信制御信号はハイレベルで送信されること（送信ＯＮ）を示し、ローレベルで送信されないこと（送信ＯＦＦ）を示すものとしている。例えば、図４の最初に示している個別シンボルαについては、アンテナ４ａの送信制御信号はＯＮであり、他のアンテナはＯＦＦであり、当該個別シンボルαに対応する制御シンボルβについては、すべてのアンテナ４ａ〜４ｃの送信制御信号はＯＮとなる。
【００２７】
こうして生成された送信制御信号は時分割多重回路１３に入力されて、パラレル／シリアル変換処理により、送信ベースバンド信号生成回路１１からの送信ベースバンド信号と時分割多重化されるのである。この場合の多重化の例を図５に示している。
【００２８】
拡散部２は、データ分離回路２０１と、ＣＰＵ２０２と、拡散処理部２０３ａ〜２０３ｃと、加算合成回路２０８ａ〜２０８ｃとにより構成されている。ここで、拡散処理部２０３ａは無線送信処理部３ａを通してアンテナ４ａへ、拡散処理部２０３ｂは無線送信処理部３ｂを通してアンテナ４ｂへ、拡散処理部２０３ｃは無線送信処理部３ｃを通してアンテナ４ｃへ、それぞれ信号を出力するものである。
【００２９】
拡散処理部２０３ａは拡散処理回路２０５ａと、送信制御信号選択回路２０６ａと、出力制御回路２０７ａとにより構成されている。拡散処理部２０３ａは拡散処理回路２０５ｂと、送信制御信号選択回路２０６ｂと、出力制御回路２０７ｂとにより構成されている。拡散処理部２０３ｃは拡散処理回路２０５ｃと、送信制御信号選択回路２０６ｃと、出力制御回路２０７ｃとにより構成されている。
【００３０】
時分割多重回路１３により、図５に示すように多重化されたベースバンド信号と送信制御信号は拡散部２へ出力される。拡散部２におけるデータ分離回路２０１では、符号化処理部１より入力される時分割多重された送信信号が、ベースバンド信号と送信制御信号とに分離され、送信ベースバンド信号は拡散処理回路２０５ａ〜２０５ｃへ、送信制御信号は送信制御信号選択回路２０６ａ〜２０６ｃへ、それぞれ送信される。
【００３１】
拡散処理回路２０５ａでは、ＣＰＵ２０２より設定されるアンテナ４ａの送信用拡散符号設定が行われ、この拡散符号を使用して拡散処理が行われて出力制御回路２０７ａへ送信される。送信制御信号選択回路２０６ａでは、ＣＰＵ２０２よりアンテナ４ａの送信が設定され、入力された送信制御信号のアンテナ４ａの送信制御信号が分離選択され、出力制御回路２０７ａへアンテナ４ａの送信制御信号が出力される。出力制御回路２０７ａでは、入力される送信拡散信号に対する送信制御信号を使用して、出力可能状態あるいは出力停止状態の制御がシンボル単位で行われ、制御後の送信拡散信号が加算合成回路２０８ａへ送信される。
【００３２】
また、拡散処理回路２０５ｂでも同様に、ＣＰＵ２０２より設定されるアンテナ４ｂの送信用拡散符号設定が行われ、この拡散符号を使用して拡散処理が行われて出力制御回路２０７ｂへ送信される。送信制御信号選択回路２０６ｂでは、ＣＰＵ２０２よりアンテナ４ｂの送信が設定され、入力された送信制御信号のアンテナ４ｂの送信制御信号が分離選択され、出力制御回路２０７ｂへアンテナ４ｂの送信制御信号が出力される。出力制御回路２０７ｂでは、入力される送信拡散信号に対する送信制御信号を使用して、出力可能状態あるいは出力停止状態の制御がシンボル単位で行われ、制御後の送信拡散信号が加算合成回路２０８ｂへ送信される。
【００３３】
更に、拡散処理回路２０５ｃでも同様に、ＣＰＵ２０２より設定されるアンテナ４ｃの送信用拡散符号設定が行われ、この拡散符号を使用して拡散処理が行われて出力制御回路２０７ｃへ送信される。送信制御信号選択回路２０６ｃでは、ＣＰＵ２０２よりアンテナ４ｃの送信が設定され、入力された送信制御信号のアンテナ４ｃ送信制御信号が分離選択され、出力制御回路２０７ｃへアンテナ４ｃの送信制御信号が出力される。出力制御回路２０７ｃでは、入力される送信拡散信号に対する送信制御信号を使用して、出力可能状態あるいは出力停止状態の制御がシンボル単位で行われ、制御後の送信拡散信号が加算合成回路２０８ｃへ送信される。
【００３４】
加算合成回路２０８ａ〜２０８ｃでは、拡散処理部２０３ａ〜２０３ｃよりそれぞれ入力される送信拡散信号が送信先アンテナ４ａ〜４ｃ毎に加算合成され、それぞれの送信先アンテナ４ａ〜４ｃと接続された無線送信処理部３ａ〜３ｃへ送信される。無線送信処理部３ａ〜３ｃでは、入力された送信拡散信号の直交変調が行われ、無線周波数変換、送信電力制御がなされて無線送信信号が対応するアンテナ４ａ〜４ｃにそれぞれ送信される。アンテナ４ａ〜４ｃでは、入力された無線送信信号が放射送出されることになる。
【００３５】
図２の回路構成において、送信先アンテナがアンテナ４ａのみに切替わる（アンテナ４ａのみが送信可であり他は送信不可である）動作について説明する。符号化処理部１では、送信制御信号生成回路１２において、アンテナ４ａは送信ＯＮ状態、アンテナ４ｂ，４ｃに対しては送信ＯＦＦ状態となるような送信制御信号が生成され、時分割多重回路１３において送信ベースバンド信号生成回路１１より生成される送信ベースバンド信号とシンボル毎に時分割多重がなされて拡散部２へ送信される。
【００３６】
各送信先アンテナ４ａ〜４ｃに対する拡散処理部３ａ〜３ｃでは、データ分離回路２０１より分離された送信ベースバンド信号に対してＣＰＵ２０２より指定される送信先アンテナ４ａ〜４ｃ送信用拡散符号設定により拡散処理が行われ、送信拡散信号はそれぞれ送信制御信号選択回路２０６ａ〜２０６ｃに入力される。拡散処理回路２０５ａでは、ＣＰＵ２０２より設定されるアンテナ４ａの送信用拡散符号設定が行われ拡散処理が行われ、出力制御回路２０７ａへ送信される。送信制御信号選択回路２０６ａでは、アンテナ４ａの送信制御信号が出力制御回路２０７ａへ出力されるために、出力制御回路２０７ａでは、送信拡散信号が加算合成回路２０８ａへ出力される。
【００３７】
拡散処理回路２０５ｂでは、ＣＰＵ２０２より設定されるアンテナ４ｂ送信用拡散符号設定が行われ拡散処理がなされ、出力制御回路２０７ｂへ送信される。送信制御信号選択回路２０６ｂでは、アンテナ４ｂの送信制御信号が出力制御回路２０７ｂへ出力されるために、出力制御回路２０７ｂでは、出力停止制御が働き加算合成回路２０８ｂへの送信拡散信号の出力が停止される。同様に、拡散処理回路２０５ｃでも、ＣＰＵ２０２より設定されるアンテナ４ｃ送信用拡散符号設定が行われ拡散処理がなされ、出力制御回路２０７ｃへ送信される。送信制御信号選択回路２０６ｃでは、アンテナ４ｃの送信制御信号が出力制御回路２０７ｃへ出力されるために、出力制御回路２０７ｃでは、出力停止制御が働き加算合成回路２０８ｃへの送信拡散信号の出力が停止される。
【００３８】
本発明の他の実施例について図６を参照して説明する。図６において、図１及び図２と同等部分は同一符号にて示している。図６を参照すると、６個の無線送信処理部３ａ〜３ｆならびに６個のアンテナ４ａ〜４ｆを設けて、送信先アンテナを６個とした場合の例である。これより、符号化処理部１では、６個のアンテナの制御信号が生成されるものであり、符号化処理部１の時分割多重回路１３に入力される送信ベースバンド信号と、送信制御信号は図７に示すフォーマットで時分割多重化され、拡散部２へ送信されることになる。
【００３９】
拡散部２においては、拡散処理部２０３ａ〜２０３ｆと、加算合成回路２０８ａ〜２０８ｆとを６個のアンテナ４ａ〜４ｆにそれぞれ対応して設け、図７に示した如く、信号フォーマットを６個のアンテナに対応して変更することで、各基地局の伝搬状況に応じて送信先アンテナ数を１〜６本に変更可能となる新たな効果を有する。
【００４０】
次に、本発明の更に他の実施例について図８を参照して説明する。図８において図１、図２及び図６と同等部分は同一符号にて示している。図８を参照すると、ｎ個の拡散処理部２０３ａ〜２０３ｎ内の各出力制御回路２０７ａ〜２０７ｎと加算合成回路２０８との間に、出力先選択回路２１０ａ〜２１０ｎをそれぞれ追加する構成となっている。
【００４１】
なお、図８においては、簡単化のために、拡散処理部２０３ａのみの機能ブロックを示しているが、他の拡散処理部２０３ｂ〜２０３ｎについても同一構成である。この出力先選択回路２１０ａ〜２１０ｎの制御はＣＰＵ２０２により行われる。
【００４２】
そして、加算合成回路２０８ａ〜２０８ｆ及び無線送信処理部３ａ〜３ｆを、アンテナ４ａ〜４ｆにそれぞれ対応して設ける。ＣＰＵ２０２より送信先アンテナが指定されるため、出力先選択回路２１０ａ〜２１０ｎでは、出力制御回路２０７ａ〜２０７ｎより入力される送信拡散信号が、送信先アンテナ毎に時分割多重して各加算合成回路２０８ａ〜２０８ｆへそれぞれ送信される。
【００４３】
加算合成回路２０８ａ〜２０８ｆでは、拡散処理部２０３ａ〜２０３ｎより入力される送信拡散信号が送信先アンテナ４ａ〜４ｆ毎に加算合成される。出力先選択回路２１０ａ〜２１０ｎを設けることで、拡散処理部２０３ａ〜２０３ｎを送信先アンテナ４ａ〜４ｆの何れか１つのアンテナに固定的に接続することなく自在に接続可能となり、柔軟に送信先を選択できるという新たな効果を有する。
【００４４】
【発明の効果】
本発明による第一の効果は、送信状態の制御をハードウェア処理で行うためスロットあるいはシンボル単位で高速にサイト選択切替が可能となることである。その理由は、カウンタ等を設けてそのカウンタ値により送信状態の制御を行うソフトウェア処理の場合、処理数の増加により処理遅延が生じ、結果出力制御が瞬時に行えない場合があるため、制御タイミングを予め考慮し設計されたハードウェア処理で行える本構成の方が優れている。
【００４５】
また、本発明による第二の効果は、従来では拡散処理部を増加するとソフトウェア処理への負荷が増大して、ＳＳＤＴ処理能力が低下していたが、ハードウェア処理で行うことでそれが回避可能となることである。その理由は、送信ベースバンド信号に対する拡散処理部の数が増加した場合には、ソフトウェア処理にて拡散部の送信状態制御を行うよりも、符号化処理部で制御信号を生成する方が処理的に容易であり、拡散処理回路のソフトウェア処理負荷軽減につながるためである。
【図面の簡単な説明】
【図１】本発明の実施の形態の構成を示すブロック図である。
【図２】本発明の一実施例の構成を示すブロック図である。
【図３】本発明の一実施例における符号化処理部の具体例を示す図である。
【図４】図３の符号化処理部の動作例を示すタイミングチャートである。
【図５】図２の構成における信号フォーマット図である。
【図６】本発明の他の実施例の構成を示すブロック図である。
【図７】図６の構成における信号フォーマット図である。
【図８】本発明の更に他の実施例の構成を示すブロック図である。
【図９】従来例を示すブロック図である。
【符号の説明】
１  符号化処理部
２  拡散部
３  無線送信処理部
４  アンテナ
１１  送信ベースバンド信号生成回路
１２  送信制御信号生成回路
１３  時分割多重回路
１４  逆拡散部
１５  復調部
１６  送信制御信号抽出部
１７  送信選択回路
２０１  データ分離回路
２０２  ＣＰＵ
２０３  拡散処理部
２０５  拡散処理回路
２０６  送信制御信号選択回路
２０７  出力制御回路
２０８  加算合成回路
２１０  出力先選択回路
【図１】
0003932906.tif 000002
【図２】
0003932906.tif 000003
【図３】
0003932906.tif 000004
【図４】
0003932906.tif 000005
【図５】
0003932906.tif 000006
【図６】
0003932906.tif 000007
【図７】
0003932906.tif 000008
【図８】
0003932906.tif 000009
【図９】
0003932906.tif 000010